(57)【要約】【課題】本発明は、尾体を揺動して軌道盤上を走行する走行動物玩具の提供にある。【解決手段】外殻体の後端に、基端が軸支されて後方へ突出し、上下に揺動する尾体を具備し、外殻体の前部の底面部に、軌道盤の軌条溝に嵌合して走行方向を誘導する誘導車輪を具備し、外殻体の後部の底面部に、軌道盤の上面に接面し前進させる駆動車輪を具備してなる尾体揺動・走行動物玩具。【選択図】図３
2011125526.tif 000002
【特許請求の範囲】
【請求項１】
外殻体の後端に、基端が軸支されて後方へ突出し、上下に揺動する尾体を具備し、外殻体の前部の底面部に、軌道盤の軌条溝に嵌合して走行方向を誘導する誘導車輪を具備し、外殻体の後部の底面部に、軌道盤の上面に接面し前進させる駆動車輪を具備してなる尾体揺動・走行動物玩具。
【請求項２】
前記尾体は、基部を構成する左側板部と右側板部との間に差し渡されて形成される支軸部と、基部とその後方の先端側に一体に延設される翼部と、基部の前方に突設される連繋部とから構成されてなる請求項１の尾体揺動・走行動物玩具。
【請求項３】
前記外殻体の前部の底面部に具備する誘導車輪は、円形支板部の下面に並列して突設したホーク部間に配置されると共に、ホーク部の下端に差し渡された車軸に回転自在に遊支して配備され、前記円形支板部の中心に枢軸部が突設され、外殻体と一体で上方から垂下する軸受筒部に嵌合し、誘導車輪を旋回自在に支承すると共に軸受筒部の下端面に前記円形支板部の上面に連接して定位置に支承され、前記円形支板部の下面周縁を下方から外殻体と一体に形成する外止鍔部を対応させて外殻体から外れ落ちないように構成されてなる請求項１の尾体揺動・走行動物玩具。
【請求項４】
前記外殻体の後部の底面部に具備する駆動車輪は、車軸の両端に固着され、前記外殻体内に配備されるモータの回転をモータ軸に固着したウォームギヤから車軸に固着したウォームホイールに伝達されてなる請求項１の尾体揺動・走行動物玩具。
【請求項５】
前記外殻体内に、前記車軸のウォームホイールの固着部と他方側に固着したピニオンと噛合して軸部を中心に従動回転する歯車が、その一側面にカムを一体に形成して配備され、連動杆の前端に下方が開口して形成されたコ字形連繋部を前記カムに上方から下方へ移動して嵌合連繋すると共に、この連動杆の後端面連繋部を前記尾体の連繋部に連接し、連動杆の往復作動により尾体が揺動自在に配備されてなる請求項１の尾体揺動・走行動物玩具。
【請求項６】
前記外殻体は、下半外殻部と上半外殻部とから構成され、前記下半外殻部は、上縁が突出する皿椀形に形成され、その前端より底面部は上方へ筒状に凹陥し、前記外止鍔部を上天面とする誘導車輪収容部が開口して形成され、後端より底面部に前記駆動車輪を外方へ突出する車輪用開口部が開口され、後端に前記尾体の基部の左側板部と右側板部を挿通する左側溝形開口部と右側溝形開口部が開口されてなる請求項１の尾体揺動・走行動物玩具。
【請求項７】
前記下半外殻部は、その前端寄りと後端寄り底面部の内底面に、夫々上端に取付けネジを嵌合突設する前接続筒と後接続筒が配備されてなる請求項６の尾体揺動・走行動物玩具。
【請求項８】
前記下半外殻部の底面部の内底面には、前記モータの前端面を支える前記誘導車輪収容部の周面と、前記モータの下面を支える台座と、前記モータの左側面を支える左側壁板と、右側面を支える右側壁板と、前記モータの後端面を支える後壁板と、駆動車輪の車軸の一方端部を支える左溝形軸受孔を設けた左軸受板と、駆動車輪の車軸の他方端部を支える右溝形軸受孔を設けた右軸受板が夫々形成されて具えてなる請求項６の尾体揺動・走行動物玩具。
【請求項９】
前記下半外殻部の底面部の内底面の前記右側壁板には、カムを一側に設けた前記歯車の軸部の一方を軸受する溝形軸受孔が形成され、前記下半外殻部の内底面の前記右軸受板の前方に延長して形成された右軸受板延長部には、前記軸部の他方を軸受する溝形軸受孔が形成されてなる請求項６の尾体揺動・走行動物玩具。
【請求項１０】
前記下半外殻部の底面部の内底面に内枠を取付けるネジを螺合する受部を具えた接続筒部が内底面に４カ所形成されてなる請求項６の尾体揺動・走行動物玩具。
【請求項１１】
前記下半外殻部の底面部の内底面に配備される前記内枠は、上面に電池ボックスを形成して前記電池を収容可能に構成され、下面に前記電池とモータを電気的に接続する前記スイッチを取付けており、下半外殻部の内底面に開口するスイッチ孔から外方に電気的に接続するスイッチを突設できるように構成されてなる請求項６の尾体揺動・走行動物玩具。
【請求項１２】
前記下半外殻部の底面部の内底面に配備される前記内枠の下面の一部は、モータ支え部に形成され、下半外殻部の内底面の取付け時に、モータに連接して上方側を支え、前記内枠の下面の一部は、前記下半外殻部の内底面に形成される左軸受板と、右軸受板と、右側壁板と、右軸受板延長部とに対応して突条部が形成され、下半外殻部の内底面に取付け時に、夫々を連接して駆動車輪の車軸、カムを一側に設けた歯車の軸部の一方と他方を回転自在に支承するように構成されてなる請求項６の尾体揺動・走行動物玩具。
【請求項１３】
前記下半外殻部の底面部の内底面の後端部に前記尾体の基部の支軸部を回転自在に支承する溝形軸受部が形成されると共に、溝形軸受部に対応して内底面に支板取付筒と回止筒が並列して突出形成され、前記尾体の基部の支軸部が溝形軸受部に嵌挿させた後、前記支板取付筒に支板をネジにより固着して固定し、支板の下面で前記尾体の基部の支軸部が回転自在に支承され、支板の下面には、回止突起を突出して具え、この回止突起を前記回止筒に差し込んで止め着されてなる請求項６の尾体揺動・走行動物玩具。
【請求項１４】
前記上半外殻部の内天部には、垂下する前端側の接続筒と後端側の接続筒が配備されてなる請求項６の尾体揺動・走行動物玩具。
【請求項１５】
前記上半外殻部を下半外殻部に被蓋した後、上半外殻部の天部の内天部から垂下する前端側の接続筒と後端側の接続筒を前記下半外殻部の底面部の内底面の前端側の接続筒と後端側の接続筒に当接させ、下方からネジを螺合して両者を一体に結合するように構成されてなる請求項６の尾体揺動・走行動物玩具。
【請求項１６】
前記の請求項１の尾体揺動・走行動物玩具用であって、誘導車輪を嵌合して案内する軌条溝と、駆動車輪を接面する走行面と、背景図形とが配備され、夫々の板の四辺縁に上下方向から互いに嵌合して連結する係合凸部と係合凹部が配備されてなる軌道盤。
【請求項１７】
前記の請求項６の尾体揺動・走行動物玩具用であって、誘導車輪を嵌合して案内する軌条溝と、駆動車輪を接面する走行面と、背景図形とが配備され、夫々の板の四辺縁に上下方向から互いに嵌合して連結する係合凸部と係合凹部が配備されてなる軌道盤。
【発明の詳細な説明】
【技術分野】
【０００１】
本発明は、尾体を揺動して軌道盤上を軌条溝に沿って走行する走行動物玩具に関する。
【背景技術】
【０００２】
特許文献１には、機枠２６に尾振動機構としての駆動軸６１が回動自在に横架され、この駆動軸６１の略中間部に切換歯車５６が係脱自在に噛合する駆動歯車６２が止着され、この駆動軸６１の一端部には尾振動機構としての円盤６３が一体に止着されるとともに、この駆動軸６１の他端部に形成したストッパー６４が機枠２６の外方に突出され、前記円盤６３の偏心位置と上記尾体７のコイルスプリング３２を止着した駒体３１の突片６５との間に尾振動機構としての連動杆６６の両端部が回動自在に挿着されてなる尾体７を揺動する動物玩具が提案されている。
【０００３】
特許文献２には、胴外皮体７の尻部に筒型台座を設け、尾保形部材となるコイルスプリング７４と、その一面側に一定の間隔でガイド環６９が列設された帯状の尾芯板７０を、そのコイルスプリング７４内に挿通配置して前記筒型台座に取付け、前記列設したガイド環６９には、操作用紐７３を前記筒型台座の連通孔を通じて胴体外皮体７より挿通し、この操作用紐７３の先端を、帯状の尾芯板７０の先端に位置するガイド環６９に結着し、前記胴外皮体７内に配備した機枠１１の一側に突出する回転クランクピン５７に一端が回転自在に連結し、他端を基端が前記機枠１１に配備される支軸６５に回動自在に支承される伸縮板６４に連結し、前記クランクピン５７の回転で伸縮板６４を、基端を中心に往復動し、この伸縮板６４の先端に連繋する前記操作用紐７３をその作動で牽引するときは、帯状の尾芯板７０を湾曲し、その外側のコイルスプリング７４を追従湾曲し、その作動で前記操作用紐７３を緩めるとき、帯状の尾芯板７０及びコイルスプリング７４の弾性復帰力で直線状に伸長し、尾体Ｄを揺動する尾体作動の動物玩具が提案されている。
【０００４】
特許文献３には、胴体部２の後端に上下に揺動するように軸ピン６で尾部７を枢着し、前輪車軸８の斜め上方部分を横切るように機枠８に挿通して軸２３を配備し、この軸２３は、機枠８の内部に挿通した部分に小径ギヤ２４と、大径ギヤ２５とを固定し、機枠８の一方の側壁から外部へ突出した軸端には、受動ギヤ１１と噛合するピニオンギヤ２６を固定し、機枠８の他方の側壁から外部へ突出した軸端には、円板２７を偏心回転するように固定し、原動機の回転力を受けて回転し、尾部７を駆動する駆動板５８は、前端には、前記偏心回転する円板２７を嵌合する縦長の長孔５９を設け、後端には、尾部７から前方に向けて突出した連結板６０に設けた連結軸６１に掛けるフック部６２を設け、円板２７の偏心回転運動を玩具本体１の前後方向の往復運動に変換して尾部７を揺動作動する尾体作動の動物玩具が提案されている。
【０００５】
【特許文献１】特開昭６１−１２８９９２号公報
【特許文献２】実開昭６１−２０００９７号公報
【特許文献３】実開平４−１０４８９５号公報
【発明の開示】
【発明が解決しようとする課題】
【０００６】
前記特許文献１の尾体を揺動作動する動物玩具は、回転を往復動に確実に変換し、高速に振動させるものであるが、歩行型シール動物玩具の内部機構にふさわしい堅牢性と耐久性が求められ、コスト高は免れないものである。
【０００７】
前記特許文献２の尾体作動の動物玩具は、尾体の作動が本物の動きに迫る真実感の高いものであるが、その構造が複雑であるためコスト高となる点と、故障の発生率が高い点に難点があった。
【０００８】
前記特許文献３の尾体作動の動物玩具は、偏心に軸支される円板と嵌合する長孔が駆動板の一端に設けられるから、駆動板の組付けが横方向からに限定され、上方から下方へ移動に組み付けることができないものである。また、駆動板の他端にフックを設け、このフックを揺動自在に軸支される尾体の前端に設けた軸ピンに連結するものであるから、その作動空間を広くとる必要がある。
【０００９】
本発明は、回転を往復動に変換するスムーズな変換機構と、構成部材を組付け易く構成して製作コストの低減と、前記従来の尾体作動の動物玩具に比較して遜色のない趣向の充実とを図り、尾体揺動・走行動物玩具を提供することを目的とするものである。
【課題を解決するための手段】
【００１０】
外殻体の後端に、基端が軸支されて後方へ突出し、上下に揺動する尾体を具備し、外殻体の前部の底面部に、軌道盤の軌条溝に嵌合して走行方向を誘導する誘導車輪を具備し、外殻体の後部の底面部に、軌道盤の上面に接面し前進させる駆動車輪を具備してなる尾体揺動・走行動物玩具にある。
【００１１】
前記尾体は、基部を構成する左側板部と右側板部との間に差し渡されて形成される支軸部と、基部とその後方の先端側に一体に延設される翼部と、基部の前方に突設される連繋部とから構成してもよいものである。
【００１２】
前記外殻体の前部の底面部に具備する誘導車輪は、円形支板部の下面に並列して突設したホーク部間に配置されると共に、ホーク部の下端に差し渡された車軸に回転自在に遊支して配備され、前記円形支板部の中心に枢軸部が突設され、外殻体と一体で上方から垂下する軸受筒部に嵌合し、誘導車輪を旋回自在に支承すると共に軸受筒部の下端面に前記円形支板部の上面に連接して定位置に支承され、前記円形支板部の下面周縁を下方から外殻体と一体に形成する外止鍔部を対応させて外殻体から外れ落ちないように構成してもよいものである。
【００１３】
前記外殻体の後部の底面部に具備する駆動車輪は、車軸の両端に固着され、前記外殻体内に配備されるモータの回転をモータ軸に固着したウォームギヤから車軸に固着したウォームホイールに伝達するようにしてもよいものである。
【００１４】
前記外殻体内に、前記車軸のウォームホイールの固着部と他方側に固着したピニオンと噛合して軸部を中心に従動回転する歯車が、その一側面にカムを一体に形成して配備され、連動杆の前端に下方が開口して形成されたコ字形連繋部を前記カムに上方から嵌合連繋すると共に、この連動杆の後端面連繋部を前記尾体の連繋部に連接し、連動杆の往復作動により尾体が揺動自在に配備されてもよいものである。
【００１５】
前記外殻体は、下半外殻部と上半外殻部とから構成され、前記下半外殻部は、上縁が突出する皿椀形に形成され、その前端より底面部は上方へ筒状に凹陥し、前記外止鍔部を上天面とする誘導車輪収容部が開口して形成され、後端より底面部に前記駆動車輪を外方へ突出する車輪用開口部が開口され、後端に前記尾体の基部の左側板部と右側板部を挿通する左側溝形開口部と右側溝形開口部が開口されてもよいものである。
【００１６】
前記下半外殻部は、その前端寄りと後端寄り底面部の内底面に、夫々上端に取付けネジを嵌合突設する前接続筒と後接続筒が配備されてもよいものである。
【００１７】
前記下半外殻部の底面部の内底面には、前記モータの前端面を支える前記誘導車輪収容部の周面と、前記モータの下面を支える台座と、前記モータの左側面を支える左側壁板と、右側面を支える右側壁板と、前記モータの後端面を支える後壁板と、駆動車輪の車軸の一方端部を支える左溝形軸受孔を設けた左軸受板と、駆動車輪の車軸の他方端部を支える右溝形軸受孔を設けた右軸受板が夫々形成されて具えてもよいものである。
【００１８】
前記下半外殻部の底面部の内底面の前記右側壁板には、カムを一側に設けた前記歯車の軸部の一方を軸受する溝形軸受孔が形成され、前記下半外殻部の内底面の前記右軸受板の前方に延長して形成された右軸受板延長部には、前記軸部の他方を軸受する溝形軸受孔が形成されて具えてもよいものである。
【００１９】
前記下半外殻部の底面部の内底面に内枠を取付けるネジを螺合する受部を具えた接続筒部が内底面に４カ所形成されてもよいものである。
【００２０】
前記下半外殻部の底面部の内底面に配備される前記内枠は、上面に電池ボックスを形成して前記電池を収容可能に構成され、下面に前記電池とモータを電気的に接続する前記スイッチを取付けており、下半外殻部の内底面に開口するスイッチ孔から外方に電気的に接続するスイッチを突設できるように構成されてもよいものである。
【００２１】
前記下半外殻部の底面部の内底面に配備される前記内枠の下面の一部は、モータ支え部に形成され、下半外殻部の内底面の取付け時に、モータに連接して上方側を支え、前記内枠の下面の一部は、前記下半外殻部の内底面に形成される左軸受板と、右軸受板と、右側壁板と、右軸受板延長部とに対応して突条部が形成され、下半外殻部の内底面に取付け時に、夫々を連接して駆動車輪の車軸、カムを一側に設けた歯車の軸部の一方と他方を回転自在に支承するように構成されてもよいものである。
【００２２】
下半外殻部の底面部の内底面の後端部に前記尾体の基部の支軸部を回転自在に支承する溝形軸受部が形成されると共に、溝形軸受部に対応して内底面に支板取付筒と回止筒が並列して突出形成され、前記尾体の基部の支軸部が溝形軸受部に嵌挿させた後、前記支板取付筒に支板をネジにより固着して固定し、支板の下面で前記尾体の基部の支軸部が回転自在に支承され、支板の下面には、回止突起を突出して具え、この回止突起を前記回止筒に差し込んで止め着されてもよいものである。
【００２３】
前記上半外殻部の天部の内天部には、垂下する前端側の接続筒と後端側の接続筒が配備されてもよいものである。
【００２４】
前記上半外殻部を下半外殻部に被蓋した後、上半外殻部の天部の内天部から垂下する前端側の接続筒と後端側の接続筒を前記下半外殻部の底面部の内底面の前端側の接続筒と後端側の接続筒に当接させ、下方からネジを螺合して両者を一体に結合するように構成されてもよいものである。
【００２５】
前記尾体揺動・走行動物玩具用であって、誘導車輪を嵌合して案内する軌条溝と、駆動車輪を接面する走行面と、背景図形とが配備され、夫々の板の四辺縁に上下方向から互いに嵌合して連結する係合凸部と係合凹部が配備されてなる軌道盤にある。
【発明の効果】
【００２６】
本発明は、回転を往復動に変換するスムーズな変換機構と、構成部材を組付け易く構成して製作コストの低減と、前記従来の尾体作動の動物玩具に比較して遜色のない趣向の充実とを図り、尾体揺動・走行動物玩具を提供する。
【図面の簡単な説明】
【００２７】
【図１】図１は、本発明の尾体揺動・走行動物玩具の外観を示す側面図である。
【図２】図２は、同じく、前部を残し外殻の上半体及び下半体を切り欠き断面で示す部分切欠断面図である。
【図３】図３は、同じく、尾体の上下揺動機構を示す部分切欠断面図である。
【図４】図４は、同じく、外殻上半を外して内部を示す平面図である。
【図５】図５は、同じく、外殻上半を外して内部の電池収容部とモーター収容枠を取外した状態の被伝動走行機構及び尾体揺動機構を示す平面図である。
【図６】図６は、本発明の尾体揺動・走行動物玩具が、走行する軌道盤の一例を示す平面図である。
【発明を実施するための最良の形態】
【００２８】
外殻体の後端に、基端が軸支されて後方へ突出し、上下に揺動する尾体を具備し、外殻体の前部の底面部に、軌道盤の軌条溝に嵌合して走行方向を誘導する誘導車輪を具備し、外殻体の後部の底面部に、軌道盤の上面に接面し前進させる駆動車輪を具備してなる尾体揺動・走行動物玩具において、前記尾体は、基部を構成する左側板部と右側板部との間に差し渡されて形成される支軸部と、基部とその後方の先端側に一体に延設される翼部と、基部の右側板の前方に突設される連繋部とから構成され、前記外殻体の前部の底面部に具備する誘導車輪は、円形支板部の下面に並列して突設したホーク部間に配置されると共に、ホーク部の下端に差し渡された車軸に回転自在に遊支して配備され、前記円形支板部の中心に枢軸部が突設され、外殻体と一体で上方から垂下する軸受筒部に嵌合し、誘導車輪を旋回自在に支承すると共に軸受筒部の下端面に前記円形支板部の上面に連接して定位置に支承され、前記円形支板部の下面周縁を下方から外殻体と一体に形成される外止鍔部を対応させて外殻体から外れ落ちないように構成され、前記外殻体の後部の底面部に具備する駆動車輪は、車軸の両端に固着され、前記外殻体内に配備されるモータの回転をモータ軸に固着したウォームギヤから車軸に固着したウォームホイールに伝達され、前記外殻体内に、前記車軸のウォームホイールの固着部と他方側に固着したピニオンと噛合して軸部を中心に従動回転する歯車が、その一側面にカムを一体に形成して配備され、連動杆の前端に下方が開口して形成されたコ字形連繋部を前記カムに上方から嵌合して連繋すると共に、この連動杆の後端面連繋部を前記尾体の連繋部に連接して尾体が揺動自在に配備されてなる尾体揺動・走行動物玩具。
【実施例】
【００２９】
以下、本発明の尾体揺動・走行動物玩具を実施例として示す図面により説明すると、本発明の実施例の尾体揺動・走行動物玩具１は、外殻体２の後端に上下に揺動する尾体３を具備する。
【００３０】
前記外殻体２は、製造上において実施例として下半外殻部２ａと上半外殻部２ｂとから構成される。
【００３１】
前記尾体３は、基部３ａを構成する左側板部３ａ１と右側板部３ａ２との間に差し渡されて形成される支軸部４と、基部３ａとその後方の先端側に一体に延設される翼部３ｂと、基部３ａの右側板３ａ２の前方に突設される連繋部３ｃとから構成される。
【００３２】
前記外殻体２は、モータ５の回転をモータ軸６に固着したウォームギヤ７から車軸８に固着したウォームホイール９に伝達し、車軸８の両端に固着した駆動車輪１０、１０を回転する走行用車輪駆動機構１１を具備する。前記駆動車輪１０、１０は外殻体２の後部の底面部２ａ２より下方に突出している。
【００３３】
外殻体２の前部の底面部２ａ２には、誘導車輪１２を突出している。この誘導車輪１２は、円形支板部１３の下面に並列して突設したホーク部１４間に配置されると共に、ホーク部１４の下端に差し渡された車軸１５に回転自在に遊支して配備される。前記円形支板部１３の中心に枢軸部１６が突設され、外殻体１と一体で上方から垂下する軸受筒部１７に嵌合し、誘導車輪１２を旋回自在に支承すると共に軸受筒部１７の下端面に前記円形支板部１３の上面に連接して定位置に支承する。前記円形支板部１３の下面周縁を下方から外殻体２と一体に形成される外止鍔部１８を対応させて外殻体２から外れ落ちないようにしている。
【００３４】
外殻体２内に、前記車軸８のウォームホイール９の固着部と他方側に固着したピニオン１９と噛合して軸部２０を中心に従動回転する歯車２１の一側面にカム２２を一体に形成して配備し、連動杆２３の前端に下方が開口して形成されたコ字形連繋部２４を前記カム２２に上方から嵌合連繋すると共に、この連動杆２３の後端面連繋部２５を前記尾体３の連繋部３ｃに連接して配備する。
【００３５】
軌道盤２６は、前記尾体揺動・走行動物玩具を走行させるもので、実施例では、方形ユニット板２６ａ、２６ｂ、２６ｃ、２６ｄ、２６ｅから構成している。方形ユニット板２６ａは、以下同様に、その板面の夫々に、誘導車輪１２を嵌合して案内する軌条溝２７と、駆動車輪１０、１０を接面する走行面２８と、背景図形２９とが配備され、また、夫々の板の四辺縁に上下方向から互いに嵌合して連結する係合凸部３０と係合凹部３１が配備される。前記方形ユニット板２６ａ等は、図示のものは、一例であり、軌条溝２７と、走行面２８と、背景図形２９は、種々の態様のものが用意される。
【００３６】
外殻体２の底面部２ａ２のスイッチ３２を操作すると外殻体２内の電池３３とモータ５とが通電してモータ５は回転し、車軸８を回転して駆動車輪１０、１０を回転する。車軸８の回転は、歯車２１を回転し、その一側面のカム２２回転し、このカム２２に連繋する連動杆２３を前後に往復動させる。そこで、連動杆２３の後端面連繋部２５に連接する尾体３の連繋部３ｃを往復動して、尾体３を、支軸部４を中心に上下に回動し、尾体３の翼部３ｂを上下に揺動する。したがって、尾体揺動・走行動物玩具１を軌道盤２６上に、軌条溝２７に誘導車輪１２を案内させ、駆動車輪１０、１０の回転駆動力により走行させることができる。
【００３７】
前記外殻体２を構成する下半外殻部２ａは、上縁２ａ１が突出する皿椀形に形成される。そして、その前端より底面部２ａ２の内底面２ａ２１は上方へ筒状に凹陥し、前記外止鍔部１８を上天面とする誘導車輪収容部３４が開口して形成され、後端より底面部２ａ２に前記駆動車輪１０、１０を外方へ突出する車輪用開口部３５ａ、３５ｂが開口され、後端に前記尾体３の基部３ａの左側板部３ａ１と右側板部３ａ２を挿通する左側溝形開口部３６ａと右側溝形開口部３６ｂが開口されている。
【００３８】
前記下半外殻部２ａは、前端寄りと後端寄り底面部２ａ２の内底面２ａ２１に、夫々上端に取付けネジ３７を嵌合突設する前接続筒３８ａ、後接続筒３８ｂを配備している。
【００３９】
前記下半外殻部２ａの底面部２ａ２の内底面２ａ２１には、前記モータ５の前端面を前記誘導車輪収容部３４の周面で支え、前記モータ５の下面を支える台座３９と、前記モータ５の左側面を支える左側壁板４０ａと、右側面を支える右側壁板４０ｂと、前記モータ５の後端面を支える後壁板４１と、前記駆動車輪１０、１０の車軸８の一方端部を支える左溝形軸受孔４２ａを設けた左軸受板４３ａと、駆動車輪１０、１０の車軸８の他方端部を支える右溝形軸受孔４２ｂを設けた右軸受板４３ｂが夫々形成されて具えられている。
【００４０】
前記下半外殻部２ａの底面部２ａ２の内底面２ａ２１には、前記右側壁板４０ｂにカム２２を一側に設けた歯車２１の軸部２０の一方を軸受する溝形軸受孔４４ａが形成され、前記下半外殻部２ａの底面部２ａ２の内底面２ａ２１の前記右軸受板４３ｂの前方延長の右軸受板延長部４３ｂ１には、前記軸部２０の他方を軸受する溝形軸受孔４４ｂが形成されて具えられている。
【００４１】
実施例では、前記下半外殻部２ａの底面部２ａ２の内底面２ａ２１に内枠４５を取付けるネジ４６を螺合する受部を具えた接続筒部４７が内底面２ａ２１に４カ所形成されている。
【００４２】
前記下半外殻部２ａの底面部２ａ２の内底面２ａ２１に配備される前記内枠４５は、上面に電池ボックス４８を形成して前記電池３３を収容可能に構成される。また、前記内枠４５は、下面に前記電池３３とモータ５を電気的に接続する前記スイッチ３２を取付けており、下半外殻部２ａの内底面２ａ２１に開口するスイッチ孔４９から外方に電気的に接続するスイッチ３２を突設できるように構成している。
【００４３】
前記下半外殻部２ａの底面部２ａ２の内底面２ａ２１に配備される前記内枠４５の下面の一部は、モータ支え部（図示しない。）に形成され、下半外殻部２ａの内底面２ａ２１の取付け時に、前記モータ５に連接して上方側を支える。
【００４４】
前記内枠４５の下面の一部は、前記下半外殻部２ａの底面部２ａ２の内底面２ａ２１に形成される左軸受板４３ａと、右軸受板４３ｂと、右側壁板４０ｂと、右軸受板延長部４３ｂ１とに対応して突条部（図示しない。）が形成され、下半外殻部２ａの内底面２ａ２１に取付け時に、夫々を連接して駆動車輪１０、１０の車軸８、カム２２を一側に設けた歯車２１の軸部２０の一方と他方を回転自在に支承するように構成している。
【００４５】
下半外殻部２ａの底面部２ａ２の内底面２ａ２１の後端部に前記尾体３の基部３ａの支軸部４を回転自在に支承する溝形軸受部５０が形成されると共に、溝形軸受部５０に対応して内底面２ａ２１に支板取付筒５１と回止筒５２が並列して突出形成され、前記尾体３の基部３ａの支軸部４が溝形軸受部５０に嵌挿させた後、前記支板取付筒５１に支板５３をネジ５４により固着して固定し、支板５３の下面で前記尾体３の基部３ａの支軸部４を回転自在に支承する。支板５３の下面には、回止突起（図示しない。）を突出して具え、この回止突起を前記回止筒５２に差し込んでいる。
【００４６】
前記上半外殻部２ｂの天部２ｂ１の内天部２ｂ１１には、垂下する前端側の接続筒５５と後端側の接続筒５６が配備される。
【００４７】
前記上半外殻部２ｂを下半外殻部２ａに被蓋した後、上半外殻部２ｂの内天部２ｂ１から垂下する前端側の接続筒５５と後端側の接続筒５６を前記下半外殻部２ａの底面部２ａ２の内底面２ａ２１の前端側の接続筒３８ａと後端側の接続筒３８ｂに当接させ、下方からネジ３７を螺合して両者を一体に結合するものである。
【００４８】
前記ネジ３７を緩めることにより下半外殻部２ａと上半外殻部２ｂに分解し、内部の電池３３を交換できるものである。
【産業上の利用可能性】
【００４９】
本発明は、駆動車輪の回転をカム歯車に伝達し、回転を往復動に変換するスムーズな変換機構と、構成部材を組付け易く構成して製作コストの低減を図り、軌道盤を趣向に富む作動で走行するので、この種低価格玩具の需要拡大に寄与するものである。
【符号の説明】
【００５０】
１  尾体揺動・走行動物玩具
２  外殻体
２ａ  下半外殻部
２ａ１  上縁
２ａ２  底面部
２ａ２１  内底面
２ｂ  上半外殻部
２ｂ１  天部
２ｂ１１  内天部
３  尾体
３ａ  基部
３ａ１  左側板部
３ａ２  右側板部
３ｂ  翼部
３ｃ  連繋部
４  支軸部
５  モータ
６  モータ軸
７  ウォームギヤ
８  車軸
９  ウォームホイール
１０  駆動車輪
１１  走行用車輪駆動機構
１２  誘導車輪
１３  円形支板部
１４  ホーク部
１５  車軸
１６  枢軸部
１７  軸受筒部
１８  外止鍔部
１９  ピニオン
２０  軸部
２１  歯車
２２  カム
２３  連動杆
２４  コ字形連繋部
２５  後端面連繋部
２６  軌道盤
２６ａ  方形ユニット板
２６ｂ  方形ユニット板
２６ｃ  方形ユニット板
２６ｄ  方形ユニット板
２６ｅ  方形ユニット板
２７  軌条溝
２８  走行面
２９  背景図形
３０  係合凸部
３１  係合凹部
３２  スイッチ
３３  電池
３４  誘導車輪収容部
３５ａ  車輪用開口部
３５ｂ  車輪用開口部
３６ａ  左側溝形開口部
３６ｂ  右側溝形開口部
３７  取付けネジ
３８ａ  前接続筒
３８ｂ  後接続筒
３９  台座
４０ａ  左側壁板
４０ｂ  右側壁板
４１  後壁板
４２ａ  左溝形軸受孔
４２ｂ  右溝形軸受孔
４３ａ  左軸受板
４３ｂ  右軸受板
４３ｂ１  右軸受板延長部
４４ａ  溝形軸受孔
４４ｂ  溝形軸受孔
４５  内枠
４６  ネジ
４７  接続筒部
４８  電池ボックス
４９  スイッチ孔
５０  溝形軸受部
５１  支板取付筒
５２  回止筒
５３  支板
５４  ネジ
５５  前端側の接続筒
５６  後端側の接続筒
【図１】
2011125526.tif 000003
【図２】
2011125526.tif 000004
【図３】
2011125526.tif 000005
【図４】
2011125526.tif 000006
【図５】
2011125526.tif 000007
【図６】
2011125526.tif 000008